(57)【要約】【課題】ネットワークケーブルの配線空間を小さくでき、これによって設置空間を小さくすることができるネットワークドライブ装置を提供する。【解決手段】ネットワークドライブ装置１は略直方体に形成され、ネットワークに接続するための入力コネクタのレセプタクル１１１および出力コネクタのレセプタクル１２１を備える。入力コネクタのレセプタクル１１１は図示しないケーブルの挿入方向が上向きになるようにネットワークドライブ装置１の上面に上向きに配置し、出力コネクタのレセプタクル１２１はケーブル（図示せず）の挿入方向が前向きになるようにネットワークドライブ装置１の前面に前向きに配置する。  【選択図】図１
2010146336.tif 000002
【特許請求の範囲】
【請求項１】
ネットワークに接続するための入力コネクタおよび出力コネクタを備え上位コントローラからの指令を受けてモータの制御を行うネットワークドライブ装置において、
前記ネットワークドライブ装置は略直方体を成し、前記入力コネクタのレセプタクルは、前記ネットワークドライブ装置の上面に配置され、前記出力コネクタのレセプタクルは、前記ネットワークドライブ装置の前面に配置されることを特徴とするネットワークドライブ装置。
【請求項２】
前記入力コネクタおよび出力コネクタによって、列盤構成にした複数のネットワークドライブ装置をカスケード接続することを特徴とする請求項１記載のネットワークドライブ装置。
【請求項３】
前記入力コネクタによって、列盤構成にした複数のネットワークドライブ装置をスター接続することを特徴とする請求項１記載のネットワークドライブ装置。
【請求項４】
ネットワークに接続するための入力コネクタおよび出力コネクタを備え上位コントローラからの指令を受けてモータの制御を行うネットワークドライブ装置において、
前記ネットワークドライブ装置を列盤構成にしてカスケード接続したとき、前段の前記ネットワークドライブ装置の出力コネクタのレセプタクルと後段の前記ネットワークドライブ装置の入力コネクタのレセプタクルが、カスケード接続するケーブルの所定の曲げ半径の円弧状の位置になるよう前記入力コネクタのレセプタクルおよび前記出力コネクタのレセプタクルが配置されていることを特徴とするネットワークドライブ装置。
【請求項５】
前記曲げ半径が、前記ケーブルの許容曲げ半径であることを特徴とする請求項４記載のネットワークドライブ装置。
【発明の詳細な説明】
【技術分野】
【０００１】
本発明は、ネットワークドライブ装置に関し、特に、ネットワークに接続するコネクタを搭載したネットワークドライブ装置に関する。  
【背景技術】
【０００２】
従来、複数のケーブルによってカスケード接続されたネットワーク通信装置が開示されている（例えば特許文献１参照）。
図９はカスケード接続された従来のネットワーク通信装置を模式化した図である。各ネットワーク通信装置４０は、「上流用」接続部５０１と「下流用」接続部５０２の２つの接続部を備え、前段の通信装置の下流用接続部と次段の通信装置の上流用接続部をケーブル６０で接続（カスケード接続）することが記載されている。
【０００３】
本従来技術には、カスケード接続されるネットワーク通信装置の幾何学的配置やケーブルの接続状態については記載されていないが、従来、ネットワークに接続され上位コントローラからの指令を受けてモータの制御を行うネットワークドライブ装置において、複数軸のモータ制御を行うためネットワークドライブ装置を列盤構成にして、カスケード接続することが行われており、ネットワークドライブ装置を列盤構成にしてカスケード接続する場合、図１０に示すようなケーブルの幾何学的な接続形態となる。
【０００４】
図１０は従来のネットワークドライブ装置を列盤構成してカスケード接続した場合の斜視図である。
図において、１はネットワークドライブ装置で、第１ネットワークドライブ装置１０１、第２ネットワークドライブ装置１０２および第３ネットワークドライブ装置１０３が列盤構成されている。また、１１は入力コネクタ、１２は出力コネクタで各ネットワークドライブ装置１の上面に並べて配置されている。３０はネットワークドライブ装置間をカスケード接続するケーブルである。入力コネクタ１１と出力コネクタ１２は多くの場合プリント基板に固定されプリントパターンによって両者間の配線が行われるが、パターン配置の点から両コネクタは接近して配置されている。
【０００５】
図１１は、カスケード接続したケーブルの形状を示す平面図である。
図において２０はコネクタのプラグで、ネットワークドライブ装置（図示せず）の上面に配置したレセプタクルに挿入される。ケーブル３０は曲げ半径Ｒ１で曲げられネットワークドライブ装置間を接続するが、コネクタのプラグ２０の近傍では前記の曲げの方向とは逆方向に一点鎖線で示したような、曲げ半径Ｒ２で曲げられた部分が発生する。なお、ケーブルが許容曲げ半径Ｒ０によって曲げ形状を制限されることは公知であり、Ｒ１、Ｒ２ともに許容曲げ半径Ｒ０以上の半径をもたせる必要がある。
【特許文献１】特表２００１−５１８２４４号公報
【発明の開示】
【発明が解決しようとする課題】
【０００６】
昨今、ネットワークドライブ装置の薄型化が要求され隣接するネットワークドライブ装置間のコネクタ間の間隔も小さくなってきている。ネットワークドライブ装置を列盤構成にしてカスケード接続する場合、隣接のネットワークドライブ装置のケーブルの曲げ半径による大きな空間が必要となり、ドライブ自体の設置空間を小さくできないという問題があった。
本発明はこのような問題点に鑑みてなされたものであり、ネットワークケーブルの配線空間を小さくでき、これによって設置空間を小さくすることができるネットワークドライブ装置を提供することを目的とする。
【課題を解決するための手段】
【０００７】
上記問題を解決するため、本発明は、次のように構成したのである。
請求項１に記載の発明は、ネットワークに接続するための入力コネクタおよび出力コネクタを備え上位コントローラからの指令を受けてモータの制御を行うネットワークドライブ装置において、前記ネットワークドライブ装置は略直方体を成し、前記入力コネクタのレセプタクルは、前記ネットワークドライブ装置の上面に配置され、前記出力コネクタのレセプタクルは、前記ネットワークドライブ装置の前面に配置されることを特徴としている。
請求項２に記載の発明は、前記入力コネクタおよび出力コネクタによって、列盤構成にした複数のネットワークドライブ装置をカスケード接続することを特徴としている。
請求項３に記載の発明は、前記入力コネクタによって、列盤構成にした複数のネットワークドライブ装置をスター接続することを特徴としている。
請求項４に記載の発明は、ネットワークに接続するための入力コネクタおよび出力コネクタを備え上位コントローラからの指令を受けてモータの制御を行うネットワークドライブ装置において、前記ネットワークドライブ装置を列盤構成にしてカスケード接続したとき、前段の前記ネットワークドライブ装置の出力コネクタのレセプタクルと後段の前記ネットワークドライブ装置の入力コネクタのレセプタクルが、カスケード接続するケーブルの所定の曲げ半径の円弧状の位置になるよう前記入力コネクタのレセプタクルおよび前記出力コネクタのレセプタクルが配置されていることを特徴としている。
請求項４に記載の発明は、前記曲げ半径が、前記ケーブルの許容曲げ半径であることを特徴としている。
【発明の効果】
【０００８】
請求項１に記載の発明によると、略直方体のネットワークドライブ装置の上面に入力コネクタのレセプタクルを配置し、前面に出力コネクタのレセプタクルを配置したのでカスケード接続する場合のケーブル配線の必要な空間を小さくすることができる。
【０００９】
請求項４に記載の発明によると、入力コネクタのレセプタクルと出力コネクタのレセプタクルをカスケード接続するケーブルの所定の曲げ半径の円弧状の位置に配置したので、さらにケーブル配線の必要な空間を小さくすることができる。
【発明を実施するための最良の形態】
【００１０】
以下、本発明の実施の形態について図を参照して説明する。
【実施例１】
【００１１】
図１は、本発明の第１実施例を示すネットワークドライブ装置の斜視図である。
図において、１はネットワークドライブ装置、１１は入力コネクタ、１２は出力コネクタである。入力コネクタ１２は、入力コネクタのレセプタクル１１１とこれに接続されるプラグ２０から構成され、出力コネクタ１２は、出力コネクタのレセプタクル１２１とこれに接続されるプラグ２０から構成される。
【００１２】
入力コネクタのレセプタクル１１１は挿入方向を上向きにして、略直方体に形成されたドネットワークドライブ装置１の上面に配置され、出力コネクタのレセプタクル１２１は挿入方向を前方にしてネットワークドライブ装置１の前面に配置されている。
本発明が従来技術と異なる部分は、入力コネクタのレセプタクルと出力コネクタのレセプタクルがネットワークドライブ装置の互いに異なる面に配置し、２つのコネクタの挿入方向のなす角度が９０度になるように配置した点である。
【００１３】
図２は本実施例のネットワークドライブを列盤構成にしてカスケード接続した場合の斜視図である。図において１０１は第１ネットワークドライブ装置、１０２は第２ネットワークドライブ装置、１０３は第３ネットワークドライブ装置である。本実施例では、第１ネットワークドライブ装置１０１、第２ネットワークドライブ装置１０２および第３ネットワークドライブ装置１０３の３台のネットワークドライブ装置をカスケード接続した場合の例を示しているが、ネットワークドライブ装置の台数はこれに限定されない。
図において、２０はコネクタのプラグ、３０はネットワークドライブ装置をカスケード接続するケーブル、１２０はカスケード接続されたネットワークドライブ装置の最終段の出力コネクタのレセプタクルである。
【００１４】
第１ネットワークドライブ装置１０１には、図示しないコントローラからの信号が入力される。入力コネクタ１１のレセプタクル１１１は、先端にプラグ２０が接続されたケーブルによってコントローラ（図示せず）と接続されている。そして、第１ネットワークドライブ装置１０１と第２ネットワークドライブ装置１０２は、両端にプラグ２０を取り付けたケーブル３０によってカスケード接続されている。同様にして、第２ネットワークドライブ装置１０２と第３ネットワークドライブ装置１０３はカスケード接続されている。第３ネットワークドライブ装置１０３の出力コネクタのレセプタクル１２０はプラグが挿入されない空きコネクタになっている。
【００１５】
図３はカスケード接続したケーブルの配線形状を示す平面図である。
図において、Ｒはケーブルの曲げ半径である。点線で示した長方形は長方形の辺が円弧状のケーブルの接線となるように描いたもので、ほぼ正方形になり従来技術の図１１に示した配線形状と比べてケーブル配線に要する空間は小さいことがわかる。
【００１６】
このように、本実施例では、略直方体のネットワークドライブ装置の上面に挿入方向が上向きなるようにして入力コネクタのレセプタクルを配置し、前面に挿入方向が前方なるように出力コネクタのレセプタクルを配置したので、カスケード接続するケーブル配線の必要な空間を小さくすることができる。従って、列盤構成にしてカスケード接続したネットワークドライブ装置の必要空間を小さくすることができる。
【実施例２】
【００１７】
図４は本発明の第２実施例を示すネットワークドライブ装置の斜視図で、ネットワークドライブ装置を列盤構成にしてコントローラとスター接続した場合の斜視図である。
図において、１２１、１２２、１２３はそれぞれ第１、第２および第３ネットワークドライブ装置の出力側コネクタのレセプタクルである。
このように、コントローラとネットワークドライブ装置がスター接続された場合、出力側コネクタは未接続となるが、挿入方向が前方向きとなるので、ごみ等の異物がコネクタに入ることを低減し、信号の短絡を回避することができる。
【実施例３】
【００１８】
図５は本発明の第３実施例を示すネットワークドライブ装置の斜視図である。
図において、４ネットワークドライブ装置である。本実施例のネットワークドライブ装置は、前面の上端部が斜めに削られた形になっており、この面に出力コネクタのレセプタクル１２１が取り付けられている。
【００１９】
図６は本実施例のネットワークドライブ装置を列盤構成にしてカスケード接続した場合の斜視図である。第１ネットワークドライブ装置４０１、第２ネットワークドライブ装置４０２および第３ネットワークドライブ装置４０３の３台のネットワークドライブ装置がケーブル３０でカスケード接続されている。
【００２０】
図７は本実施例のネットワークドライブ装置をカスケード接続したケーブルの配線形状を示す平面図である。
図においてＲ０は、ケーブル３０の許容曲げ半径である。ケーブル３０はこの許容曲げ半径Ｒ０で円弧状に曲げられ両端にプラグ２０が取り付けられている。
【００２１】
図８は本実施例のネットワークドライブ装置におけるレセプタクルの位置を示す模式図である。
カスケード接続された前段のネットワークドライブ装置の出力コネクタのレセプタクルと後段のネットワークドライブ装置の入力コネクタのレセプタクルの位置が許容曲げ半径Ｒ０で円弧状に曲げられたケーブル３０の円弧状の位置になるように取り付けられている。
【００２２】
このように、本実施例ではカスケード接続するケーブルの所定の曲げ半径の円弧状の位置になるよう入力コネクタのレセプタクルおよび出力コネクタのレセプタクルを配置されているので、ケーブル配線に必要な空間を小さくすることができる。
【図面の簡単な説明】
【００２３】
【図１】本発明の第１実施例を示すネットワークドライブ装置の斜視図
【図２】第１実施例のネットワークドライブ装置を列盤構成にしてカスケード接続した場合の斜視図
【図３】カスケード接続したケーブルの配線形状を示す平面図
【図４】本発明の第２実施例を示すネットワークドライブ装置の斜視図
【図５】本発明の第３実施例を示すネットワークドライブ装置の斜視図
【図６】第３実施例のネットワークドライブ装置を列盤構成にしてカスケード接続した場合の斜視図
【図７】第３実施例のネットワークドライブ装置をカスケード接続したケーブルの配線形状を示す平面図
【図８】第３実施例におけるネットワークドライブ装置におけるレセプタクルの位置を示す模式図
【図９】カスケード接続された従来のネットワーク通信装置を模式化した図
【図１０】従来のネットワークドライブ装置を列盤構成にしてカスケード接続した場合の斜視図
【図１１】従来のネットワークドライブ装置をカスケード接続したケーブルの形状を示す平面図
【符号の説明】
【００２４】
１      ネットワークドライブ装置
１０１、４０１  第１ネットワークドライブ装置
１０２、４０２  第２ネットワークドライブ装置
１０３、４０３  第２ネットワークドライブ装置
１１    入力コネクタ
１１１  入力コネクタのレセプタクル
１２    出力コネクタ
１２１  出力コネクタのレセプタクル
２０    コネクタのプラグ
３０、６０    ケーブル
４０    ネットワーク通信装置
【図１】
2010146336.tif 000003
【図２】
2010146336.tif 000004
【図３】
2010146336.tif 000005
【図４】
2010146336.tif 000006
【図５】
2010146336.tif 000007
【図６】
2010146336.tif 000008
【図７】
2010146336.tif 000009
【図８】
2010146336.tif 000010
【図９】
2010146336.tif 000011
【図１０】
2010146336.tif 000012
【図１１】
2010146336.tif 000013